(57)【要約】陰極線管用偏向システムは、垂直偏向コイルのペア及び水平偏向コイルのペアを備えており、これら２つのペアは、セパレーターにより絶縁されている。また、このシステムは、水平走査速度を変調する補助コイルも備えている。プラスティック製の補助コイル用の支持体９は、これらコイルと陰極線管のネックとの間のスペースの比誘電率を減少するように、上記の補助コイルの位置３０の下部に配置された開口部３２を備えており、陰極線管を点灯した際、陰極線管のネックでの電気アークの発生を減少させる傾向にある。
2005519556.tif 000002
【特許請求の範囲】
【請求項１】
水平偏向コイル（２）のペア及び垂直偏向コイル（３）のペアを備え、
前記の２つのペアは、セパレーター（４）により互いに絶縁されており、
前記の偏向コイルの２つのペアの少なくとも１つにより発生された磁場を改質することを意図された、陰極線管のネックの周囲に配置された補助コイル（１０）の少なくとも１つのペアを備え、
前記の補助コイルのペアは、円筒支持体（９）上に配置されており、
前記支持体の一部（３０）は、該一部の上に前記の補助コイルのペアが配置され、且つ、比誘電率の低い領域（３３）を有している、
ことを特徴とする、陰極線管用電子ビーム偏向システム。
【請求項２】
前記補助コイルは、柔軟性を有する支持体（１３）上に製造されていることを特徴とする請求項１に記載の電子ビーム偏向システム。
【請求項３】
前記補助コイル用の前記支持体（９）は、前記セパレーターに依存しないことを特徴とする請求項１に記載の電子ビーム偏向システム。
【請求項４】
前記補助コイル用の前記支持体（９）は、プラスティック製であることを特徴とする請求項１に記載の電子ビーム偏向システム。
【請求項５】
前記の比誘電率の低い領域（３３）は、前記支持体の厚みを減少させることにより製造されていることを特徴とする請求項１乃至４のいずれか一項に記載の電子ビーム偏向システム。
【請求項６】
請求項１乃至５のいずれか一項に記載の電子ビーム偏向システムを使用した陰極線管。
【発明の詳細な説明】
【発明の詳細な説明】
【０００１】
本発明は、陰極線管用電子ビーム偏向システムに係り、特に、陰極線管を切り替えた際電気アークのアッセイを阻止する水平走査速度を変調する装置に関する。
【０００２】
陰極線管用電子ビーム偏向システムは、一般的に、水平偏向コイルのペア及び垂直偏向コイルのペアから構成されており、この２つのペアは、一般的にプラスティック製のセパレーターにより絶縁されており、この偏向装置の機械的強固性を向上さえ、互いのコイルに対してコイルを強固に固定し且つ陰極線管のネックにおけるアッセンブリを調節することを可能にしている。このセパレーターは、一つ以上の部品でできた実質的にファンネル型の本体及び陰極線管のネックに近接し且つ偏向位置を固定するように設計された後部部品で構成されており、この固定は、柔軟性を有する後部部品の上方に配置されたクランピングカラー（ｃｌａｍｐｉｎｇ  ｃｏｌｌａｒ）により一般的に行われる。
【０００３】
陰極線管のスクリーンの水平走査中、スクリーン上に形成される画像の暗部分と明部分との間の移行を向上させるため、ＳＶＭとも称される水平走査速度変調コイルと呼ばれる補助コイルのペアを使用することが知られている；これらコイルは、輝度信号の大幅な変化を予測すべく、結果として水平走査の速度を改質するように、主コイルにより発生される水平偏向フィールト上に補助フィールドを重ね合わせる。これらの補助コイルを陰極線管のネック上に配置することが有利であることも知られ、偏向システムの水平変更コイルは、時折、部分的又は完全にこれらをカバーする。また、強固性又は柔軟性を有するリング状で、支持体上にエッチングすることによりこれら補助コイルを製造することも知られている。かかる配置の例は、欧州特許出願ＥＰ４８４６０６号明細書に述べられている。
【０００４】
電子ビームの走査速度を変調するための補助コイルを備える偏向システムを陰極線管上に固定する際、この補助コイルの位置は、電子ビームの効果を最適化するように、水平偏向コイル及び陰極線管のネックに配置された電子銃に対して調節されなければならない。このことを行うため、ＳＶＭは、セパレーターの後部にフィットされてもよく、あるいは、非依存的な支持体上にフィットされてもよく、偏向器の位置から分離することが可能となる。
【０００５】
しかしながら、ＳＶＭの導入は、特に点灯した際、陰極線管のネックにおいて電気アークの発生を増加させることが指摘されている。
【０００６】
本発明の目的は、陰極線管を点灯させた際、陰極線管のネックに電気アークの発生を減少させることである。
【０００７】
この目的を達成するため、本発明による陰極線管用の電子ビーム偏向システムは、水平偏向コイルのペアと、垂直偏向コイルのペアと、陰極線管のネックの周囲に配置された少なくとも一つの補助コイルのペアとを備えており、偏向コイルの２つのペアの少なくとも１つにより発生された磁場を改質することを意図され、上記の補助コイルは、円筒支持体上に配置されており、補助コイルのペアの下部に配置された上記の支持体の少なくとも一部は、低い比誘電率の領域を備えている。
【０００８】
本発明は、以下の図面にて、より良好に理解されるであろう。
【０００９】
図１に示すように、陰極線管１用のビーム偏向システムは、破線で示された水平偏向コイル２のペア及び垂直偏向コイル３のペアを備えている。この２つのコイルのペアは、セパレーター４のいずれかの側面上に配置されており、セパレーター４は、一般的にプラスティック製で、他に対してコイルの一つのペアを保持する機能を有し、コイルの２つのペアの間に絶縁性を同時に提供する一方で、アッセンブリの機械的強固性を提供する機能を有している；強磁性材料５製リングは、偏向を意図されている電子ビーム上にフィールドを集中すべく、少なくとも一部が偏向コイルを取り巻いている；図１に示した偏向装置は、さらに、その前面部分の陰極線管上に締め付け手段（６）をさらに備えており、一方で、柔軟性リング（１２）は、その後部部品が、クランピングカラー（７）の効力により陰極線管のチューブへと締め付けられることを可能としている。
【００１０】
本発明の範囲において、偏向装置は、走査速度変調装置、いわゆるＳＶＭをさらに備えており、これは、少なくとも一つの円周磁場を発生することを意図された補助コイル１０を指示する機能を有する円筒リング９を備えている。支持体９は、支持体の柔軟性を有する部分の上に配置されたクランピングリング１１により、陰極線管のネック上の位置に保持されている。
【００１１】
図３は、走査速度変調システムに関する先行技術による実施例を示している。このシステムは、陰極線管２６からの電子ビームに横切られている連続した電極２０乃至２５で構成されている電子銃８のレベルに、陰極線管１９のネックの周囲に配置されている。柔軟性シート１３上にエッチングされた場合、補助コイル１０は、例えばプラスティックなどの絶縁材料で構成している円筒リングの形態で、支持体９を損傷する。
【００１２】
陰極線管を点灯すると、電子銃のレベルに配置された領域の陰極線管のネックに電気アークが発生し、ＳＶＭなどの補助コイルを使用することで、これらアークの発生が顕著に増加することを指摘されている。
【００１３】
ＳＶＭコイルは、陰極線管を点灯すると、地電位に上昇されるので、これらの存在により、容量性効果により、電子銃の電極と陰極線管のネックとの間の領域において等電位を改質し、その結果、ネックにおけるアークの発生を促進する、電極に沿った電荷の分布を改質する。
【００１４】
この容量性効果を減少させるために、本発明は、ＳＶＭのための支持体として機能する材料の比誘電率を改質することを提案する。
【００１５】
しかしながら、この改質は、使用される材料のコストを考慮に入れるべきであり、この材料の厚みを増加することにより、補助コイルにより発生されるフィールドに対する電子銃の感度が減少され、これは、上記のコイルに供給する電流を増加させる必要が生じる。
【００１６】
本発明は、種々のタイプの支持体材料に適用可能であり、特に、プラスティックに適用可能であって、安価な材料であるという利点を有し、絶縁体として良好な特性を提供しつつ、十分な機械的強固性を有している。
【００１７】
図３及び４に示すように、プラスティック製９は、円筒形を有しており、エッチングされる補助コイル１０の上に、損傷される柔軟性フィルム１３の周囲に部品３１を備えている；支持体９は、さらに、円周方向に柔軟な部品３１を備えており、その周囲に、陰極線管のネックの位置にアッセンブリを固定すべく、クランピングリング１１を配置している；上記の円周方向に柔軟性を有する部品は、リングの端部の一つに現れる長手ノッチ３３により達成される。
【００１８】
支持体９により発生されたキャパシターは、以下のキャパシタンスを有している：
Ｃ＝εｒε０Ｓ／ｅ
ここで、εｒは、支持体９を形成している材料に関する比誘電率又は誘電定数である。
【００１９】
支持体リング９のボディーにウィンドウ３２を作り出すことにより比誘電率の低い領域を製造する。空気の比誘電率は大部分のプラスティックに比較して５〜１０倍低いので、これらウィンドウは、陰極線管のネックにおいて電気アークに関与する容量性効果を減少する。
【００２０】
円筒支持体９の機械的強固性の問題に起因して、ウィンドウ３２を作り出さず、一部３０の特定の領域における支持体の厚みを減少させることも所望される。
【００２１】
また、補助コイルの位置の下部に、これらの向かい合う表面が実質的に同一であるように出来る限り延びる一方で、補助コイルの下部にウィンドウを直接配置する場合、電気アークの発生を抑えられることも指摘されていた。
【００２２】
以下の表は、陰極線管を点灯した場合、電気アークの発生に対するウィンドウの影響を示している：
【００２３】
【表１】
2005519556.tif 000003
従って、ウィンドウ３２の存在により、陰極線管のネックにおける電気アークの発生が顕著に抑えられ、ＳＶＭが存在しない場合に発生する電気アークの値に、さらに近づく。
【００２４】
また、補助コイルは銅ワイヤーをコイル状に巻くことにより製造される強固なコイルであってもよく、このコイルは、ほぼ、陰極線管のネックの形状に従っており、クリッピング又は接着結合により支持体９上に保持される。
【００２５】
本発明は、主偏向コイルのセパレーターに一体化された支持体及び上記のセパレーターに依存しない支持体に同等に適用可能である。
【図面の簡単な説明】
【００２６】
【図１】本発明による偏向装置を示す。
【図２】本発明による補助コイル支持体に関する斜視図を示す。
【図３】先行技術による実施例を示す、補助コイルのレベルにおける陰極線管のネックを介した部分を示す。
【図４】本発明の実施例を示す、補助コイルのレベルにおける陰極線管のネックを介した部分を示す。
【図１】
2005519556.tif 000004
【図２】
2005519556.tif 000005
【図３】
2005519556.tif 000006
【図４】
2005519556.tif 000007
【国際調査報告】
2005519556.tif 000008
2005519556.tif 000009